(57)【特許請求の範囲】
【請求項１】
施錠装置を備えた扉体の室外側面部に装着されたプレートハンドルであって、
前記施錠装置は、ラッチと、上下に間隔を存して設けた２つのデッドボルトと、を有し、前記扉体の前記室外側面部には、上下に間隔を存してデッドボルトのキー操作用の鍵孔が露出しており、
前記プレートハンドルは、正面視縦長のプレート部を備え、当該プレート部の裏面は前記扉体の前記室外側面部に対向しており、当該プレート部を扉体に連結する上下２つの脚部が前記裏面から前記室外側面部に向かって延びており、
前記プレートハンドルは、前記脚部を介して、前記扉体の回動方向に可動に扉体に連結されており、前記プレート部を手前に引く操作によって、前記ラッチが解放されて扉体が回動するように構成されており、
前記扉体の前記室外側面部には、上下に間隔を存して２つの基部プレートが設けてあり、前記プレートハンドルの各脚部の基端側は、当該プレートハンドルの引き操作を許容するように当該基部プレートを挿通しており、
前記プレート部の部分の裏面が前記室外側面部に露出した鍵孔に近接対向して当該鍵孔を正面から覆うように延びることで、通常時は、前記部分によって前記鍵孔が隠蔽されており、
前記鍵孔を隠蔽する前記部分を含むプレート部の一部あるいは全体が、水平方向あるいは上下方向に移動可能な可動部から構成されており、
デッドボルトのキー操作時には、前記可動部を移動させて前記部分により隠蔽されている鍵孔を露出させるように構成されているプレートハンドル。
【請求項２】
前記プレート部は、本体と、本体の上側の第１可動部と、本体の下側の第２可動部と、からなり、通常時には、第１可動部が上側の鍵孔を、第２可動部が下側の鍵孔を、それぞれ隠蔽しており、キー操作時には、第１可動部、第２可動部を本体に対して移動させることで、鍵孔を露出させる、
請求項１に記載のプレートハンドル。
【請求項３】
プレート部は、全体が上下方向あるいは左右方向に移動可能な可動部であり、通常時には、プレート部の上方部位が上側の鍵孔を、下方部位が下側の鍵孔を、それぞれ隠蔽しており、プレート部全体を上下方向あるいは左右方向に移動させることで、鍵孔を露出させる、
請求項１に記載のプレートハンドル。
【発明の詳細な説明】
【技術分野】
【０００１】
本発明は、プレートハンドルに関するものである。本明細書において、プレートハンドルとは、ドアを開閉する時の把手がプレート状に形成されているハンドルを言う。
【背景技術】
【０００２】
一般に、玄関ドア等の扉体の室外側面部には、ダブルロック式の施錠装置の場合、ハンドルの上下に位置して、鍵孔が露出している。施錠装置のデッドボルトが電気錠の場合、通常時はカードリーダーなどにより解錠し、鍵孔を用いることはない。しかしながら、故障や停電などの非常時には、電気的な解錠が出来ないため、鍵孔を用いたキー操作による解錠が必要となる。
【０００３】
室外側面部に形成された鍵孔は通常は使用しないため、意匠的には鍵孔を隠したいが、鍵孔を隠す場合であっても、非常時の解錠時には、使い勝手が良いことが望ましい。
【０００４】
特許文献１には、施錠装置の鍵孔を覆うカバーを備えた開口部装置が開示されているが、このものでは、別途カバーを用意する必要がある上、カバーを設ける場合にはカバーの意匠性も考慮する必要がある。また、いわゆるプレートハンドルに対して特許文献１に開示されたカバーを適用することは困難である。
【特許文献１】特開２００６−２２５９５２号
【発明の開示】
【発明が解決しようとする課題】
【０００５】
本発明は、通常時には鍵孔を隠蔽し、簡単な操作で鍵孔を露出させることができるプレートハンドルを提供することを目的とする。
【課題を解決するための手段】
【０００６】
本発明が採用した技術手段は、
施錠装置を備えた扉体の室外側面部に装着されたプレートハンドルであって、
前記施錠装置は、ラッチと、上下に間隔を存して設けた２つのデッドボルトと、を有し、前記扉体の前記室外側面部には、上下に間隔を存してデッドボルトのキー操作用の鍵孔が露出しており、
前記プレートハンドルは、正面視縦長のプレート部を備え、当該プレート部の裏面は前記扉体の前記室外側面部に対向しており、当該プレート部を扉体に連結する上下２つの脚部が前記裏面から前記室外側面部に向かって延びており、
前記プレートハンドルは、前記脚部を介して、前記扉体の回動方向に可動に扉体に連結されており、前記プレート部を手前に引く操作によって、前記ラッチが解放されて扉体が回動するように構成されており、
前記扉体の前記室外側面部には、上下に間隔を存して２つの基部プレートが設けてあり、前記プレートハンドルの各脚部の基端側は、当該プレートハンドルの引き操作を許容するように当該基部プレートを挿通しており、
前記プレート部の部分の裏面が前記室外側面部に露出した鍵孔に近接対向して当該鍵孔を正面から覆うように延びることで、通常時は、前記部分によって前記鍵孔が隠蔽されており、
前記鍵孔を隠蔽する前記部分を含むプレート部の一部あるいは全体が、水平方向あるいは上下方向に移動可能な可動部から構成されており、
デッドボルトのキー操作時には、前記可動部を移動させて前記部分により隠蔽されている鍵孔を露出させるように構成されているプレートハンドル、である。
【０００７】
１つの態様では、施錠装置はダブルロック方式であり、扉体の面部には、上下に間隔を存して２つの鍵孔が形成されている。
１つの態様では、プレート部は、本体と、本体の上側の第１可動部と、本体の下側の第２可動部と、からなり、第１可動部、第２可動部は、それぞれ、本体に対して移動可能（例えば水平方向）となっている。通常時には、第１可動部が上側の鍵孔を、第２可動部が下側の鍵孔を、それぞれ隠蔽しており、キー操作時には、第１可動部、第２可動部を本体に対して移動させることで、鍵孔を露出させる。
１つの態様では、プレート部は、全体が可動部であり、プレート部は上下あるいは左右に移動可能となっている。通常時には、プレート部の上方部位が上側の鍵孔を、下方部位が下側の鍵孔を、それぞれ隠蔽している。プレート部が上下に移動可能な場合には、プレート部を上方に移動させることで、下側の鍵孔を露出させ、プレート部を下方に移動させることで、上側の鍵孔を露出させる。
一つの態様では、前記プレート部には、可動部の移動を規制するロック手段が設けてある。
【発明の効果】
【０００８】
本発明では、通常時には、ハンドルのプレート部によって鍵孔が隠蔽されているので、意匠性が良く、非常時等には可動部を移動させるという簡単な操作で鍵孔を露出させて、キー操作を行うことができる。
【０００９】
本発明では、ハンドルのプレート部が鍵孔を隠蔽するので、カバーのような別部材を用意する必要がない。
【００１０】
請求項２に記載したものでは、２つの鍵孔を隠蔽することができるものでありながら、各要素（本体、第１可動部、第２可動部）の色を異ならしめたり、異なる質感を備えた素材（例えば、金属と木）から各要素を形成するなどして、プレートハンドルの意匠性の選択の幅を広げることができる。
【００１１】
請求項３に記載したものでは、プレートハンドルのプレート部の外観を変えることなく、２つの鍵孔を隠蔽することができる。
【発明を実施するための最良の形態】
【００１２】
本発明の実施形態を図面に基づいて詳細に説明する。図１は、扉装置を室外側から見た正面図である。扉装置は、建物開口部を形成する四周状のドア枠１と、ドア枠１を開閉する扉体２と、からなり、扉体２の戸尻側は、ドア枠１の一方の縦枠に丁番３を介して回動自在に装着されている。
【００１３】
扉体２の室外側面部２０の戸先側には、プレートハンドル４が装着されている。プレートハンドル４は、正面視縦長の方形状のプレート部４´を有し、プレート部４´は、上下に間隔を存して設けた脚部４０を介して扉体２に連結されている。
【００１４】
扉体２の室内側面部２１の戸先側には、プレートハンドル５が装着されている。プレートハンドル５は、正面視縦長の方形状のプレート部５´を有し、プレート部５´は、上下に間隔を存して設けた脚部５０を介して扉体２に連結されている。プレート部４´の高さ寸法は、プレート部５´の高さ寸法よりも大きい寸法を有している。
【００１５】
扉体２の内部には、戸先側に位置して、施錠装置が内蔵されている。施錠装置は、上下に間隔を存して配置された２つのデッドボルト６Ａ，６Ｂと、２つのデッドボルト６Ａ，６Ｂの間に位置して配置されたラッチ７と、を備えている。デッドボルト６Ａ，６Ｂ、ラッチ７は、扉体２の戸先側の端面２２に対して出没自在となっており、ドア枠１には、閉鎖状態にある扉体２のデッドボルト６Ａ，６Ｂ、ラッチ７にそれぞれ対応する位置に、受け孔（図示せず）が形成されている。図示の例では、デッドボルト６Ａ，６Ｂは鎌錠であるが、デッドボルトの構成は限定されない。
【００１６】
プレートハンドル４，５は、脚部４０，５０を介して、扉体２の回動方向に可動に扉体２に連結されており、プレートハンドル４，５の操作によりラッチ７が扉体２の端面２２内に退避するようになっている。１つの態様では、プレートハンドル４を手前に引くことで、ラッチ７が解放されて扉体２が回動し、プレートハンドル５を押すことで、ラッチ７が解放されて扉体２が回動する。
【００１７】
デッドボルト６Ａ，６Ｂは電気錠であり、室外側面部２０の信号読み取り部２０Ａにカードキーをかざして、解錠信号を送信することで、施錠状態にあるデッドボルト６Ａ，６Ｂが扉体２の端面２２から内部に退避するようになっている。
【００１８】
デッドボルト６Ａ，６Ｂは、シリンダ８Ａ、８Ｂに連繋されており、シリンダ８Ａ、８Ｂからの操作で機械的に施錠・解錠可能となっている。シリンダ８Ａ、８Ｂは、扉体２の厚さ方向に貫設されており、シリンダ８Ａ、８Ｂの室内側端面には、プレートハンドル５の上下に位置してサムターン９Ａ、９Ｂが形成されており、それぞれデッドボルト６Ａ，６Ｂに対応している。デッドボルト６Ａ，６Ｂは、室内側からはサムターン９Ａ、９Ｂの回動操作によって機械的に施錠・解錠するようになっている。
【００１９】
シリンダ８Ａ、８Ｂの室外側端面には、鍵孔１０Ａ、１０Ｂが形成されており、それぞれデッドボルト６Ａ，６Ｂに対応している。鍵を鍵孔１０Ａ、１０Ｂに差し込んで回動操作することで、デッドボルト６Ａ，６Ｂの施錠・解錠が可能となっている。
【００２０】
扉体２の室外側面部２０には、シリンダ８Ａ、８Ｂの室外側端部、プレートハンドル４の脚部４０の基端側に位置して基部プレート１１Ａ、１１Ｂが設けてある。シリンダ８Ａ、８Ｂの室外側端部は基部プレート１１Ａ、１１Ｂ内に位置しており、シリンダ８Ａ、８Ｂの室外側端面は、基部プレート１１Ａ、１１Ｂの面部と面一となっている。基部プレート１１Ａ、１１Ｂには、プレートハンドル４の脚部４０の基端側を受け入れる挿通孔（図示せず）が設けてあり、挿通孔は、プレートハンドル４の押し操作・引き操作を許容するようにクリアランスを持って脚部４０を受け入れている。
【００２１】
図２は、本発明の第１の実施形態を示している。室外側のプレートハンドル４のプレート部４´は、脚部４０が連結されている本体４Ａと、本体４Ａの上側に位置する第１可動部４Ｂ、本体４Ａの下側に位置する第２可動部４Ｃの３要素に分割されている。プレート部４´を分割したことで、各要素毎に色を異ならしめたり、異なる質感を備えた素材（例えば、金属と木）から各要素を形成するなどして、プレートハンドル４の意匠性の選択の幅を広げることができる。
【００２２】
第１可動部４Ｂは、本体４Ａに対して水平方向にスライド自在に連結されている。第１可動部４Ｂの下端面には、第１可動部４Ｂの幅方向に延出する凸条が形成されており、本体４Ａの上端面には、本体４Ａの幅方向に延出する凹溝が形成されている。第１可動部４Ｂは、下端の凸条が本体４Ａの上端の凹溝に案内されて幅方向に移動するようになっている。第１可動部４Ｂの下端面に凹溝、本体４Ａの上端面に凸条を形成してもよい。第１可動部４Ｂは、本体４Ａに対して水平方向に所定距離移動した時にストッパによってそれ以上の移動が規制されている。
【００２３】
第２可動部４Ｃは、本体４Ａに対して水平方向にスライド自在に連結されている。第２可動部４Ｃの上端面には、第２可動部４Ｃの幅方向に延出する凸条が形成されており、本体４Ａの下端面には、本体４Ａの幅方向に延出する凹溝が形成されている。第２可動部４Ｃは、上端の凸条が本体４Ａの下端の凹溝に案内されて幅方向に移動するようになっている。第２可動部４Ｃの上端面に凹溝、本体４Ａの下端面に凸条を形成してもよい。第２可動部４Ｃは、本体４Ａに対して水平方向に所定距離移動した時にストッパによってそれ以上の移動が規制されている。
【００２４】
通常時には、第１可動部４Ｂ、第２可動部４Ｃは、それぞれ、基部プレート１１Ａ、１１Ｂの面部に近接対向して延出しており、基部プレート１１Ａ、１１Ｂの面部に形成された鍵孔１０Ａ，１０Ｂをそれぞれ隠蔽している。室外側からの施錠装置の施錠・解錠は、カードリーダーにより電気的に行われる。
【００２５】
故障や停電などの非常時には、第１可動部４Ｂ、第２可動部４Ｃをそれぞれ本体４Ａに対して水平方向に移動させて、鍵孔１０Ａ，１０Ｂを露出させる（図２右図）。本体４Ａの裏面には、第１可動部４Ｂ、第２可動部４Ｃの移動を規制するロックボタン１２が設けてある。一つの態様では、ロックボタン１２は、本体４Ａから第１可動部４Ｂ、第２可動部４Ｃにそれぞれ突出するピンの出没操作を行うように構成されており、例えば、ロックボタン１２を押すことで、突出するピンが退避して移動規制が行われる。
【００２６】
図３Ａ、図３Ｂに、本発明の第２の実施形態を示す。図２と図３Ａ、図３Ｂにおいて、同様の要素には同一の参照番号が付してあり、同一の参照番号が付された要素の説明については、第１の実施形態の説明を援用することができる。
【００２７】
第２の実施形態では、プレート部４´全体が上下方向に可動となっている。プレート部４´は、ベース４００を介して脚部４０に連結されており、プレート部４´は、ベース４００に対して上下方向に移動自在に装着されている。ベース４００に対してプレート部４´を上下方向に移動自在に装着する具体的な手段については、当業者において幾つかの手段が取り得ることが理解される。
【００２８】
図３Ａに示すように、通常時には、プレート部４´の上方部位、下方部位が、それぞれ、基部プレート１１Ａ、１１Ｂの面部に近接対向して延出しており、基部プレート１１Ａ、１１Ｂの面部に形成された鍵孔１０Ａ，１０Ｂをそれぞれ隠蔽している。室外側からの施錠装置の施錠・解錠は、カードリーダーにより電気的に行われる。
【００２９】
故障や停電などの非常時には、プレート部４´をベース４００に対して下方に移動させて、上側の鍵孔１０Ａを露出させ（図３Ｂ）、プレート部４´をベース４００に対して上方に移動させて、下側の鍵孔１０Ｂを露出させる。プレート部４´を、上方および下方に所定距離移動した時にストッパによってそれ以上の移動が規制されている。プレート部４´の裏面には、プレート部４´の移動を規制するロックボタンを設けてもよい。
【産業上の利用可能性】
【００３０】
本発明に係るプレートハンドルは、玄関ドアのハンドルに用いることができる。
【図面の簡単な説明】
【００３１】
【図１】扉装置を室外側から見た正面図である。
【図２】本発明の第１の実施形態を示す図である。
【図３Ａ】本発明の第２の実施形態を示す図である。
【図３Ｂ】本発明の第２の実施形態を示す図である。
【符号の説明】
【００３２】
２  扉体
２０  室外側面部
２１  室内側面部
２２  戸先側端面
４  室外側プレートハンドル
４´  プレート部
４０  脚部
４Ａ  本体
４Ｂ  第１可動部
４Ｃ  第２可動部
４００  ベース
５  室内側プレートハンドル
５´  プレート部
５０  脚部
６Ａ  デッドボルト
６Ｂ  デッドボルト
７  ラッチ
８Ａ  シリンダ
８Ｂ  シリンダ
９Ａ  サムターン
９Ｂ  サムターン
１０Ａ  鍵孔
１０Ｂ  鍵孔
【図１】
0005210053.tif 000002
【図２】
0005210053.tif 000003
【図３Ａ】
0005210053.tif 000004
【図３Ｂ】
0005210053.tif 000005